(57)【要約】【課題】映像光が地面等に投影されてしまうことを抑制する。【解決手段】透明スクリーンであるスクリーン２０は異方性を有する。第１散乱層２４は第一面２１の側に位置するとともに散乱を起こす。第２散乱層２７は第一面２１の裏面に当たる第二面２２の側に位置する。スクリーン２０を垂直に、さらに上下方向に所定の異方性が発揮されるように設置した場合、第２散乱層２７では、第２散乱層２７の第一面２１の側に上方向から入射する光２８ｂの散乱が、第２散乱層２７の第一面２１の側に横方向から入射する光２８ａの散乱よりも強い。【選択図】図３
2019074730.tif 000002
【特許請求の範囲】
【請求項１】
自身から出射する光について所定の異方性を有する透明スクリーンであって、
前記透明スクリーンに映像光を投影するために機能する散乱層であって、前記映像光の散乱を起こす第１散乱層と、
前記透明スクリーンに前記異方性を与える第２散乱層と、
を備え、
前記第１散乱層が前記透明スクリーンの第一面の側に位置するとともに、前記第２散乱層が前記第一面の裏面に当たる第二面の側に位置し、又は前記第１散乱層が前記透明スクリーンの第二面の側に位置するとともに、前記第２散乱層が前記第一面の側に位置し、
前記透明スクリーンを垂直に、さらに上下方向に前記異方性が発揮されるように設置した場合、
前記第２散乱層では、前記第２散乱層の前記第一面の側に上方向から入射する光の散乱が、前記第２散乱層の前記第一面の側に横方向から入射する光の散乱よりも強い、
透明スクリーン。
【請求項２】
前記映像光を背面から受けるとともに、正面に送る透過型スクリーンであり、
前記第１散乱層が前記透明スクリーンの第一面の側に位置するとともに、前記第２散乱層が前記第二面の側に位置し、
前記第一面が前記背面であり、
前記第二面が前記正面であり、
前記映像光が前記背面の側に上方向から入射するとともに、前記第１散乱層を透過する時に散乱することで投影がなされ、
前記映像光の一部が前記第１散乱層で散乱することなく透過光として前記第１散乱層から下向きに出射するとともに、上方向から前記第２散乱層に入射し、
前記透過光が前記第２散乱層を透過するとき、前記第２散乱層で散乱する、
請求項１に記載の透明スクリーン。
【請求項３】
前記映像光を背面から受けるとともに、正面に送る透過型スクリーンであり、
前記第１散乱層が前記透明スクリーンの第二面の側に位置するとともに、前記第２散乱層が前記第一面の側に位置し、
前記第一面が前記背面であり、
前記第二面が前記正面であり、
前記映像光が前記背面の側に上方向から入射するとともに、前記映像光が前記第２散乱層を透過する時に前記第２散乱層で散乱し、
前記散乱した映像光が前記第２散乱層から下向きに出射するとともに、上方向から前記第１散乱層に入射し、
前記散乱した映像光が前記第１散乱層を透過する時にさらに散乱することで投影がなされる、
請求項１に記載の透明スクリーン。
【請求項４】
前記背面に対して横方向から入射し前記正面から横方向に出射する光に対する濁り値が、水平方向に対して上１５度から下２０度まで開いた区間において４０％以下であり、
前記背面に対して上方向から入射し前記正面から下方向に出射する光に対する濁り値が水平方向に対して下２０度から下８１度までの範囲内にある少なくとも４４度開いた区間において５０％以上であり、
ここで濁り値とは光の入射角度に依存する曇り度合いを表し、その強さは１００×｛１−（光軸に対して傾き±８．５度以内の光束）／（光軸に対して傾き±１．７度以内の光束）｝（％）で表される、
請求項２又は３に記載の透明スクリーン。
【請求項５】
前記第２散乱層は屈折率の異なる２種類の層が交互に積層されたルーバー構造を備え、
前記ルーバー構造において、積層方向はフィルムの厚み方向に対して交差する方向であるとともに各層には傾斜が設けられている、
請求項２〜４のいずれかに記載の透明スクリーン。
【請求項６】
前記第１散乱層は前記正面の側及び前記背面の側に位置する２枚の透明板の間に位置し、
前記第２散乱層は前記正面の側に位置する透明板を挟んで前記第１散乱層と対向している、
請求項２〜５のいずれかに記載の透明スクリーン。
【請求項７】
前記２枚の透明板はいずれもガラスであり、
前記第２散乱層はフィルムとして前記正面の側に位置する透明板に貼り付けられている、
請求項６に記載の透明スクリーン。
【請求項８】
垂直に又は垂直以外の方向に設置可能であり、さらに上方向若しくは下方向に又はこれらの方向以外の方向に前記異方性が発揮されるよう設置可能な、
請求項２〜７のいずれかに記載の透明スクリーン。
【請求項９】
請求項２〜８のいずれかに記載の透明スクリーンと投影機とを備え、
（ａ）前記透明スクリーンは、前記第２散乱層において前記上方向から入射する光の散乱が、前記横方向から入射する光の散乱よりも強くなるように設置され、
前記投影機は、前記背面の側の上方向であって左右４０度以内の方向から前記背面の側に映像光を投射する、又は
（ｂ）前記透明スクリーンは、前記第２散乱層において下方向から入射する光の散乱が、前記横方向から入射する光の散乱よりも強くなるよう天地逆に設置され、
前記投影機は、前記背面の側の下方向であって左右４０度以内の方向から前記背面の側に映像光を投射する、
映像表示システム。
【請求項１０】
建築物、車両、船舶及び航空機のいずれかの構造物であって、
請求項９に記載の映像表示システムを備え、
前記透明スクリーンは屋外光を受ける箇所に設けられており、
前記映像表示システムは、映像を前記構造物の外に向かって表示し、
前記透明スクリーン及び前記投影機は前記（ａ）の通り設置されている、
構造物。
【請求項１１】
前記映像光を正面から受けるとともに、正面に返す反射型スクリーンであり、
前記第１散乱層が前記透明スクリーンの第一面の側に位置するとともに、前記第２散乱層が前記第二面の側に位置し、
前記第一面が前記正面であり、
前記第二面が背面であり、
前記映像光が前記正面の側に上方向から入射するとともに、前記第１散乱層で反射する時に散乱することで投影がなされ、
前記映像光の一部が前記第１散乱層で散乱することなく透過光として前記第１散乱層から下向きに出射するとともに、上方向から前記第２散乱層に入射し、
前記透過光が前記第２散乱層を透過するとき、前記第２散乱層で散乱する、
請求項１に記載の透明スクリーン。
【請求項１２】
前記映像光を正面から受けるとともに、正面に返す反射型スクリーンであり、
前記第１散乱層が前記透明スクリーンの第二面の側に位置するとともに、前記第２散乱層が前記第一面の側に位置し、
前記第一面が前記正面であり、
前記第二面が背面であり、
前記映像光が前記正面の側に上方向から入射するとともに、前記第２散乱層を透過するとき、前記映像光が前記第２散乱層で散乱し、
前記散乱した映像光が前記第２散乱層から下向きに出射するとともに、上方向から前記第１散乱層に入射し、
前記散乱した映像光が前記第１散乱層で反射する時にさらに散乱することで投影がなされる、
請求項１に記載の透明スクリーン。
【請求項１３】
自身から出射する光について所定の異方性を有する透明スクリーンであって、
前記透明スクリーンを垂直に、さらに上下方向に前記異方性が発揮されるように設置した場合、前記透明スクリーンの第一面の側に上方向から入射した後、前記第一面の裏面にあたる第二面の側から下方向に出射する光に対する散乱が、前記透明スクリーンの第一面の側に上方向から入射した後、前記第二面の側から横方向に出射する光に対する散乱よりも強く、ここで、前記横方向とは水平方向を含む方向である、
透明スクリーン。
【請求項１４】
自身から出射する光について所定の異方性を有する透明スクリーンであって、
前記透明スクリーンに映像光を投影するために機能する散乱層であって、前記透明スクリーンの第一面の側に位置するとともに散乱を起こす散乱層と、
前記第一面の裏面に当たる第二面の側に位置するとともに前記透明スクリーンに前記異方性を与える吸収層と、
を備え、
前記透明スクリーンを垂直に、さらに上下方向に前記異方性が発揮されるように設置した場合、
前記吸収層では、前記吸収層の前記第一面の側に上方向から前記吸収層に入射する光の吸収が、前記吸収層の前記第一面の側に横方向から前記吸収層に入射する光の吸収よりも強い、
透明スクリーン。
【請求項１５】
垂直に又は垂直以外の方向に設置可能であり、さらに上方向若しくは下方向に又はこれらの方向以外の方向に前記異方性が発揮されるよう設置可能な、
請求項１１〜１４のいずれかに記載の透明スクリーン。
【発明の詳細な説明】
【技術分野】
【０００１】
本発明は透明スクリーンに関する。
【背景技術】
【０００２】
特許文献１には透明スクリーンが開示されている。特許文献２には指向性散乱ホログラムを備えるホログラムスクリーンが開示されている。
【先行技術文献】
【特許文献】
【０００３】
【特許文献１】国際公開第２０１５／１９９０２６号
【特許文献２】特開２００３−２９４９５２号公報
【特許文献３】国際公開第２０１３／１０８５４０号
【発明の概要】
【発明が解決しようとする課題】
【０００４】
図１には透過型の透明スクリーンであるスクリーン９０が示されている。背景光３１はスクリーン９０を透過する。映像がスクリーン９０に投影されていない時やスクリーン９０に投影された映像に暗い部分がある時、観察者３０は背景光３１を受け取ることでスクリーン９０の向こう側の光景を視認できる。
【０００５】
図１に示す映像光２５のうち、スクリーン９０上に投影されなかった一部の光が、スクリーン９０を挟んで映像光２５の来る方向の反対側にある地面２６に投影されてしまうことがある。このため、観察者３０がスクリーン９０の手前にある地面２６に映る投影像を視認してしまうことがある。反射型の透明スクリーンでも同様の問題が生じる。
【課題を解決するための手段】
【０００６】
［１］  自身から出射する光について所定の異方性を有する透明スクリーンであって、
前記透明スクリーンに映像光を投影するために機能する散乱層であって、前記映像光の散乱を起こす第１散乱層と、
前記透明スクリーンに前記異方性を与える第２散乱層と、
を備え、
前記第１散乱層が前記透明スクリーンの第一面の側に位置するとともに、前記第２散乱層が前記第一面の裏面に当たる第二面の側に位置し、又は前記第１散乱層が前記透明スクリーンの第二面の側に位置するとともに、前記第２散乱層が前記第一面の側に位置し、
前記透明スクリーンを垂直に、さらに上下方向に前記異方性が発揮されるように設置した場合、
前記第２散乱層では、前記第２散乱層の前記第一面の側に上方向から入射する光の散乱が、前記第２散乱層の前記第一面の側に横方向から入射する光の散乱よりも強い、
透明スクリーン。
［２］  前記映像光を背面から受けるとともに、正面に送る透過型スクリーンであり、
前記第１散乱層が前記透明スクリーンの第一面の側に位置するとともに、前記第２散乱層が前記第二面の側に位置し、
前記第一面が前記背面であり、
前記第二面が前記正面であり、
前記映像光が前記背面の側に上方向から入射するとともに、前記第１散乱層を透過する時に散乱することで投影がなされ、
前記映像光の一部が前記第１散乱層で散乱することなく透過光として前記第１散乱層から下向きに出射するとともに、上方向から前記第２散乱層に入射し、
前記透過光が前記第２散乱層を透過するとき、前記第２散乱層で散乱する、
［１］に記載の透明スクリーン。
［３］  前記映像光を背面から受けるとともに、正面に送る透過型スクリーンであり、
前記第１散乱層が前記透明スクリーンの第二面の側に位置するとともに、前記第２散乱層が前記第一面の側に位置し、
前記第一面が前記背面であり、
前記第二面が前記正面であり、
前記映像光が前記背面の側に上方向から入射するとともに、前記映像光が前記第２散乱層を透過する時に前記第２散乱層で散乱し、
前記散乱した映像光が前記第２散乱層から下向きに出射するとともに、上方向から前記第１散乱層に入射し、
前記散乱した映像光が前記第１散乱層を透過する時にさらに散乱することで投影がなされる、
［１］に記載の透明スクリーン。
［４］  前記背面に対して横方向から入射し前記正面から横方向に出射する光に対する濁り値が、水平方向に対して上１５度から下２０度まで開いた区間において４０％以下であり、
前記背面に対して上方向から入射し前記正面から下方向に出射する光に対する濁り値が水平方向に対して下２０度から下８１度までの範囲内にある少なくとも４４度開いた区間において５０％以上であり、
ここで濁り値とは光の入射角度に依存する曇り度合いを表し、その強さは１００×｛１−（光軸に対して傾き±８．５度以内の光束）／（光軸に対して傾き±１．７度以内の光束）｝（％）で表される、
［２］又は［３］に記載の透明スクリーン。
［５］  前記第２散乱層は屈折率の異なる２種類の層が交互に積層されたルーバー構造を備え、
前記ルーバー構造において、積層方向はフィルムの厚み方向に対して交差する方向であるとともに各層には傾斜が設けられている、
［２］〜［４］のいずれかに記載の透明スクリーン。
［６］  前記第１散乱層は前記正面の側及び前記背面の側に位置する２枚の透明板の間に位置し、
前記第２散乱層は前記正面の側に位置する透明板を挟んで前記第１散乱層と対向している、
［２］〜［５］のいずれかに記載の透明スクリーン。
［７］  前記２枚の透明板はいずれもガラスであり、
前記第２散乱層はフィルムとして前記正面の側に位置する透明板に貼り付けられている、
［６］に記載の透明スクリーン。
［８］  垂直に又は垂直以外の方向に設置可能であり、さらに上方向若しくは下方向に又はこれらの方向以外の方向に前記異方性が発揮されるよう設置可能な、
［２］〜［７］のいずれかに記載の透明スクリーン。
［９］  ［２］〜［８］のいずれかに記載の透明スクリーンと投影機とを備え、
（ａ）前記透明スクリーンは、前記第２散乱層において前記上方向から入射する光の散乱が、前記横方向から入射する光の散乱よりも強くなるように設置され、
前記投影機は、前記背面の側の上方向であって左右４０度以内の方向から前記背面の側に映像光を投射する、又は
（ｂ）前記透明スクリーンは、前記第２散乱層において下方向から入射する光の散乱が、前記横方向から入射する光の散乱よりも強くなるよう天地逆に設置され、
前記投影機は、前記背面の側の下方向であって左右４０度以内の方向から前記背面の側に映像光を投射する、
映像表示システム。
［１０］  建築物、車両、船舶及び航空機のいずれかの構造物であって、
［９］に記載の映像表示システムを備え、
前記透明スクリーンは屋外光を受ける箇所に設けられており、
前記映像表示システムは、映像を前記構造物の外に向かって表示し、
前記透明スクリーン及び前記投影機は前記（ａ）の通り設置されている、
構造物。
［１１］  前記映像光を正面から受けるとともに、正面に返す反射型スクリーンであり、
前記第１散乱層が前記透明スクリーンの第一面の側に位置するとともに、前記第２散乱層が前記第二面の側に位置し、
前記第一面が前記正面であり、
前記第二面が背面であり、
前記映像光が前記正面の側に上方向から入射するとともに、前記第１散乱層で反射する時に散乱することで投影がなされ、
前記映像光の一部が前記第１散乱層で散乱することなく透過光として前記第１散乱層から下向きに出射するとともに、上方向から前記第２散乱層に入射し、
前記透過光が前記第２散乱層を透過するとき、前記第２散乱層で散乱する、
［１］に記載の透明スクリーン。
［１２］  前記映像光を正面から受けるとともに、正面に返す反射型スクリーンであり、
前記第１散乱層が前記透明スクリーンの第二面の側に位置するとともに、前記第２散乱層が前記第一面の側に位置し、
前記第一面が前記正面であり、
前記第二面が背面であり、
前記映像光が前記正面の側に上方向から入射するとともに、前記第２散乱層を透過するとき、前記映像光が前記第２散乱層で散乱し、
前記散乱した映像光が前記第２散乱層から下向きに出射するとともに、上方向から前記第１散乱層に入射し、
前記散乱した映像光が前記第１散乱層で反射する時にさらに散乱することで投影がなされる、
［１］に記載の透明スクリーン。
［１３］  自身から出射する光について所定の異方性を有する透明スクリーンであって、
前記透明スクリーンを垂直に、さらに上下方向に前記異方性が発揮されるように設置した場合、前記透明スクリーンの第一面の側に上方向から入射した後、前記第一面の裏面にあたる第二面の側から下方向に出射する光に対する散乱が、前記透明スクリーンの第一面の側に上方向から入射した後、前記第二面の側から横方向に出射する光に対する散乱よりも強く、ここで、前記横方向とは水平方向を含む方向である、
透明スクリーン。
［１４］  自身から出射する光について所定の異方性を有する透明スクリーンであって、
前記透明スクリーンに映像光を投影するために機能する散乱層であって、前記透明スクリーンの第一面の側に位置するとともに散乱を起こす散乱層と、
前記第一面の裏面に当たる第二面の側に位置するとともに前記透明スクリーンに前記異方性を与える吸収層と、
を備え、
前記透明スクリーンを垂直に、さらに上下方向に前記異方性が発揮されるように設置した場合、
前記吸収層では、前記吸収層の前記第一面の側に上方向から前記吸収層に入射する光の吸収が、前記吸収層の前記第一面の側に横方向から前記吸収層に入射する光の吸収よりも強い、
透明スクリーン。
［１５］  垂直に又は垂直以外の方向に設置可能であり、さらに上方向若しくは下方向に又はこれらの方向以外の方向に前記異方性が発揮されるよう設置可能な、
［１１］〜［１４］のいずれかに記載の透明スクリーン。
【発明の効果】
【０００７】
透明スクリーン上に投影されなかった一部の映像光が、透明スクリーンを挟んで映像光の来る方向の反対側にある地面に投影されてしまうことを抑制できる。
【図面の簡単な説明】
【０００８】
【図１】透明スクリーンの側面図である。
【図２】透明スクリーンの側面図である。
【図３】映像表示システムの右側面図である。
【図４】透過区間及び遮蔽区間及びを示す図である。
【図５】視野を示す図である。
【図６】透明スクリーンの斜視図である。
【図７】映像表示システムの右側面図である。
【図８】透明スクリーンの側面図である。
【図９】視界制御フィルムの断面像である。
【図１０】映像表示システムの右側面図である。
【図１１】テーブル面の観察像である。
【図１２】テーブル面の観察像である。
【図１３】テーブル面の観察像である。
【図１４】テーブル面の観察像である。
【図１５】テーブル面の観察像である。
【図１６】テーブル面の観察像である。
【図１７】テーブル面の観察像である。
【図１８】テーブル面の観察像である。
【発明を実施するための形態】
【０００９】
［１．透明スクリーン］
【００１０】
図２には透明スクリーンであるスクリーン２０が示されている。スクリーン２０はスクリーン２０から出射する光について以下に述べるように散乱の異方性を有する。本明細書において散乱とは光の散乱である。散乱にはいわゆる前方散乱と後方散乱が含まれる。後方散乱には拡散反射が含まれる。散乱にはミー散乱が含まれる。
【００１１】
図２には一例としてスクリーン２０が水平な地面２６に対して垂直に設置されている。また異方性が上下方向に発揮されるようにスクリーン２０が設置されている。
【００１２】
図２中のスクリーンの設置の向きは説明の便宜上のものである。他の実施形態及びその説明のための図において同様である。スクリーンは垂直以外の方向にも設置してもよい。さらに、スクリーンは上下方向以外の方向に異方性が発揮されるよう設置してもよい。スクリーンは地面に触れていてもよく触れていなくともよい。スクリーンは地面上に設置してもよく、天井などから吊るしてもよい。
【００１３】
地面とは水平な面の例示である。地面２６は水平な床面や水平なテーブル面に置き換えてもよい。以下、特に断らない限り、地面（ground）という用語を用いた場合は、その技術的に等価なものの範疇に地面以外の水平な面が含まれるものとする。なおスクリーンは垂直以外の方向にも設置できるため、地面２６も水平でなくてもよい。スクリーン２０と地面２６とが互いに直角の向きを成していなくてもよい。
【００１４】
図２に示すスクリーン２０は第一面２１と、第一面２１の裏面にあたる第二面２２とを有する。一例として光Ｌｇがスクリーン２０の第一面２１の側に上方向から入射する。光Ｌｇは散乱するスクリーン２０によって散乱する。散乱した光は第一面２１の裏側にあたる第二面２２の側から出射する。図に示されているのはいわゆる前方散乱である。
【００１５】
図２中では出射する方向によって散乱光が散乱光Ｓｃ１〜Ｓｃ３として分類されている。光Ｌｇの一部は下方向に散乱光Ｓｃ１として下方向に出射する。光Ｌｇの他の一部は横方向に散乱光Ｓｃ２として出射する。ここで横方向とは水平方向を含む方向である。散乱光Ｓｃ１に対する散乱は散乱光Ｓｃ２に対する散乱よりも強い。散乱光Ｓｃ３は上方向に出射する散乱光である。
【００１６】
［２．透過型のスクリーンと映像表示システム］
【００１７】
図３には映像表示システム３５が示されている。映像表示システム３５はスクリーン２０を透過型の透明スクリーンとして利用している。スクリーン２０は第１散乱層２４と第２散乱層２７とを有する。第１散乱層２４は第２散乱層２７を基準として第一面２１に近い側に位置する。第１散乱層２４は第一面２１の側の最外層であってもよい。第２散乱層２７は第１散乱層２４を基準として第二面２２に近い側に位置する。第２散乱層２７は第二面２２の側の最外層であってもよい。第１散乱層２４と第２散乱層２７との順序は入れ替わってもよい。第２散乱層２７は第１散乱層２４を基準として第一面２１に近い側に位置してもよい。
【００１８】
図３に示す映像表示システム３５は投影機３４を備える。スクリーン２０の第一面２１は背面側に向けられている。第二面２２は正面側に向けられている。スクリーン２０は、図２にならい下方向に出射する光の散乱が横方向に出射する光の散乱よりも強くなるよう設置されている。
【００１９】
図３において＋Ｘ方向を正面側とする。−Ｘ方向を背面側とする。＋Ｙ方向を上側とする。−Ｙ方向を下側とする。他の図において同様とする。
【００２０】
図３に示す投影機３４は映像光２５をスクリーン２０の背面側に向かって出射する。スクリーン２０は映像光２５を背面側から受ける。スクリーン２０は受けた映像光２５を正面側に出射する。
【００２１】
図３において映像光２５がスクリーン２０の背面側に上方向から入射する。映像光２５は第１散乱層２４を透過する。映像光２５が第１散乱層２４で散乱することでスクリーン２０に映像光２５が投影される。第１散乱層２４での散乱はいわゆる前方散乱である。映像光２５によって投影される映像は静止画像でもよく動画像でもよい。
【００２２】
図３に示すように第１散乱層２４での映像光２５の散乱により映像光２８ａ−ｃを生じる。映像光２８ａ−ｃは第１散乱層２４の正面側より出射する。このとき映像光２８ａ−ｃは第２散乱層２７を経由する。映像光２８ａは下方向に、映像光２８ｂは横方向に、映像光２８ｃは上方向に、それぞれ第１散乱層２４より出射して、第２散乱層２７に向かう。横方向とは水平方向を含む方向である。
【００２３】
図３に示す第１散乱層２４による映像光２５の散乱は等方性であってもよい。第１散乱層２４は一定の厚みを持つ層として形成されていてもよい。かかる層中では散乱粒子が規則的に又は不規則に分散していてもよい。第１散乱層２４は、ホログラム、ルーバー構造等であっても良い。
【００２４】
図３に示す映像光２８ａは第２散乱層２７の背面側に上方向から入射する。映像光２８ａは第２散乱層２７を透過するとともに第２散乱層２７の正面側より下方向に出射する。映像光２８ａは最終的にスクリーン２０の正面側から下方向に出射する。
【００２５】
図３において映像光２８ａはさらに第２散乱層２７で散乱する。第２散乱層２７は界面でなくてもよい。第２散乱層２７は一定の厚みを持つ層として形成されていてもよい。かかる層の好適な態様は後述する。
【００２６】
図３において映像光２５の一部は第１散乱層２４で散乱しない。このような一部の光もまた映像光２８ａとして第１散乱層２４から下向きに出射する。言い換えれば、映像光２８ａには第１散乱層２４での前方散乱により生じた光と、実質的に散乱することなく透過光として進行する光とが混合されている。映像光２８ａのうち透過光として進行する成分もまた上述の通り第２散乱層２７で散乱する。
【００２７】
図３に示す映像光２８ｂは第２散乱層２７の背面側に横方向から入射する。横方向とは水平方向を含む方向である。映像光２８ｂは第２散乱層２７を透過するとともに第２散乱層２７の横方向に出射する。映像光２８ｂはスクリーン２０の正面側から横方向に出射する。
【００２８】
図３に示す第２散乱層２７は異方性の散乱層である。したがって第２散乱層２７において下向きの映像光２８ａに対する散乱は横向きの映像光２８ｂに対する散乱よりも強い。図中では映像光２８ｂは第２散乱層２７において実質的に散乱しない、又はスクリーン２０の透明性を損なうほどに散乱しない。
【００２９】
図３に示す映像光２８ｃは第２散乱層２７の背面側に下方向から入射する。映像光２８ｃは第２散乱層２７を透過するとともに第２散乱層２７の上方向に出射する。図３に示す映像光２８ｃはスクリーン２０の正面側から上方向に出射する。
【００３０】
図３に示す第２散乱層２７において映像光２８ａに対する散乱は映像光２８ｃに対する散乱よりも強くてもよい。図中では映像光２８ｃは第２散乱層２７において実質的に散乱しない、又はスクリーン２０の透明性を損なうほどに散乱しない。
【００３１】
図３に示すように背景光３１はスクリーン２０の背面側から正面側からに向かって横方向に進行する。背景光３１は実質的に散乱することなく第１散乱層２４を透過する。第１散乱層２４を透過した背景光３１は実質的に散乱することなく第２散乱層２７を透過する。
【００３２】
図３に示す映像光２５がスクリーン２０に投影されていない時、観察者３０は背景光３１を受け取ることでスクリーン２０の背面側の光景を視認できる。スクリーン２０に投影された映像に暗い部分がある場合、観察者３０はその暗い部分を通じて背景光３１を受け取ることでスクリーン２０の背面側の光景を視認できる。
【００３３】
図３に示す第２散乱層２７における散乱の異方性は映像光２８ａのみに選択的に機能するものでなくともよい。すなわち下向きに進む背景光３２は横向きに進む背景光３１とは異なり第２散乱層２７で散乱してもよい。この場合、スクリーン２０は異方性の透明スクリーンとして機能するのみならず、下向きの背景光３２に対する目隠しの機能を奏する。
【００３４】
図３に示す映像表示システム３５は、スクリーン２０上に投影されなかった映像光２５の一部が、スクリーン２０を挟んで映像光２５の来る方向の反対側にある地面２６に投影されてしまうことを抑制できる。
【００３５】
［３．視野と異方性］
【００３６】
図４はスクリーン２０の透過区間及び遮蔽区間を表す。ここでは透過区間に関わる横方向のヘーズを、第一面２１すなわち背面に対して横方向から入射し第二面２２すなわち正面から横方向に出射する光に対するヘーズとする。また遮蔽区間に関わる下方向のヘーズを、第一面２１すなわち背面に対して上方向から入射し第二面２２すなわち正面から下方向に出射する光に対するヘーズとする。
【００３７】
図４に示す横方向の透過区間Ｔｒ１（transparent）は水平方向に対して上１５度から下２０度まで開いている。横方向のヘーズは係る区間におけるヘーズとして定義してもよい。横方向のヘーズは透過区間Ｔｒ１において４０％以下であると良く、３０％以下であることが好ましく、２０％以下であるとよりに好ましく、１０％以下であるとさらに好ましい。かかるヘーズは第１散乱層２４及び第２散乱層２７の両方を透過する光に対するヘーズである。
【００３８】
ヘーズとはフィルムの透明性に関する指標である。ヘーズはフィルムの濁度（曇度）を表す。ヘーズは拡散透過光の全光線透過光に対する割合から求められる。ヘーズはフィルムの表面の粗さに影響を受ける。ヘーズはヘーズメーターで測定できる。
【００３９】
ヘーズ（％）＝Ｔｄ／Ｔｔ  ×  １００
Ｔｄ：拡散透過率  Ｔｔ：全光線透過率
【００４０】
図４に示す横方向の透過区間Ｔｒ２は水平方向に対して上８度から下１２度まで開いている。横方向のヘーズは係る区間におけるヘーズとして定義してもよい。横方向のヘーズは透過区間Ｔｒ２において３０％以下であると良く、２０％以下であることが好ましく、１０％以下であるとより好ましく、５％以下であるとさらに好ましい。かかるヘーズは第１散乱層２４及び第２散乱層２７の両方を透過する光に対するヘーズである。
【００４１】
図４に示す下方向の遮蔽区間Ｏｂ（obstacle）は少なくとも４４度開いた区間である。遮蔽区間Ｏｂは水平方向に対して下２０度から下８１度までの範囲内にある。下方向の濁り値は遮蔽区間Ｏｂにおいて５０％以上であると良く、６０％以上であると好ましく、７０％以上であることがより好ましい。
【００４２】
「濁り値」とはヘーズと異なる概念である。すなわちヘーズは入射角度０度（界面に対して９０度）における曇り度合いを表すところ濁り値は入射角度に依存する値である。濁り値を測定するために、サンプルをヘーズメーターの積分球の入射口から５０ｍｍほど光源側に設置した時に、サンプルを回転させて光軸に対するサンプル表面の角度を変化させながら光束を測定する。このようにして得られた入射角度に依存する曇り度合いを濁り値と定義した。各入射角度における濁り値は、以下の式で表される。
【００４３】
１００×｛１−（光軸に対して傾き±８．５度以内の光束）／（光軸に対して傾き±１．７度以内の光束）｝（％）
【００４４】
図５にはスクリーン２０を水平視する観察者３０の視野を示している。視野Ｆｉ１は上１５度、下２０度の範囲であって、左右とも１５度より大きい範囲を表している。視野Ｆｉ１よりも広い領域はその領域が拡大するにしたがって安定注視野、誘導視野及び補助視野と呼ばれる場合がある。安定注視野とは眼球・頭部運動で無理なく注視でき、効果的な情報受容ができる領域とされる。
【００４５】
図５に示す視野Ｆｉ２は上８度、下１２度、左１５度、右１５度の範囲を表している。視野Ｆｉ２は有効視野と呼ばれる領域である。有効視野とは眼球運動だけで瞬時に情報受容できる領域とされる。
【００４６】
図４に示すようにスクリーン２０の正面側に観察者３０が正対した場合、透過区間Ｔｒ１のヘーズを上記の範囲とすることで、図５に示す観察者３０の視野Ｆｉ１の特に垂直方向の範囲において、観察者３０はスクリーン２０を通じて背面側の光景を視認できる。
【００４７】
図４に示すようにスクリーン２０の正面側に観察者３０が正対した場合、透過区間Ｔｒ２のヘーズを上記の範囲とすることで、図５に示す観察者３０の視野Ｆｉ２の特に垂直方向の範囲において、観察者３０はスクリーン２０を通じて背面側の光景を視認できる。
【００４８】
図４に示す遮蔽区間Ｏｂを通る背景光は、通常、図５に示す観察者３０の視野Ｆｉ１の特に垂直方向の範囲内において観察されない。したがって、スクリーン２０による散乱の異方性は、観察者３０がスクリーン２０を通じて背面側の光景を視認する際、障害となりにくい。
【００４９】
［４．透明スクリーンの形状］
【００５０】
図６には板状に形成したスクリーン２０が示されている。スクリーン２０はスクリーン体４０及び第２散乱層２７を備える。スクリーン体４０は透明板３７ａ及び透明板３７ｂ並びに第１散乱層２４を備える。スクリーン体４０としては特許文献１に記載のような透過型の映像表示透明部材を用いてもよい。
【００５１】
図６において＋Ｚ方向は右側とする。右側とはスクリーン２０の正面側を基準として右側のことである。−Ｚ方向を左側とする。左側とはスクリーン２０の正面側を基準として左側のことである。
【００５２】
図６に示す透明板３７ａは第１散乱層２４の背面側に位置する。透明板３７ｂは第１散乱層２４の正面側に位置する。第１散乱層２４は透明板３７ａ及びｂの間に位置する。透明板３７ａ及びｂはガラスであることが好ましい。第２散乱層２７は透明板３７ｂを挟んで第１散乱層２４と対向している。
【００５３】
図６に示す第２散乱層２７はフィルムとして透明板３７ｂに貼り付けられてもよい。第２散乱層２７として特許文献３に記載のようなルーバー構造を有する異方性光拡散フィルムも好適に使用できる。その他、体積ホログラム、透明板と非平行方向に屈折率が異なるレイヤー構造が層状に積層した構成、または、透明板と非平行方向に屈折率が異なるピラー構造が傾斜して配列を持った構成等が利用できる。
【００５４】
図６に示すスクリーン体４０は所定の前方ヘーズを有する。ここで前方ヘーズとは、第一面２１側から第二面２２側に進行する透過光のうち、いわゆる前方散乱によって、入射光の進行方向から０．０４４ｒａｄ（２．５°）以上逸れた光の占める割合を意味する。「前方ヘーズ」は百分率（％）で表すことができる。前方ヘーズはＪＩＳ  Ｋ  ７１３６：２０００（ＩＳＯ  １４７８２：１９９９）に記載された方法によって測定される、いわゆる通常のヘーズでもよい。
【００５５】
図６に示すスクリーン体４０の前方ヘーズは、４％以上が好ましく、５％以上がより好ましい。前方ヘーズがかかる値を有することで、スクリーン２０は好ましいスクリーンゲイン及び視野角を得られる。
【００５６】
図６に示すスクリーン体４０の前方ヘーズは、４０％以下が好ましく、３０％以下がより好ましい。前方ヘーズがかかる値を有することで、観察者から見てスクリーン２０の向こう側に見える光景の視認性が高まる。観察者から見てスクリーン２０が透明であると視認できるためには、スクリーン体４０の前方ヘーズが４０％以下であることが好ましい。
【００５７】
図６に示すスクリーン体４０は所定の透過率を有する。ここで透過率は、スクリーン体４０に第一面２１側から入射した光の光量に対する、スクリーン体４０を透過し又はスクリーン体４０で散乱するとともに第二面２２側から出射する光の合計の光量の比を表す。透過率は百分率（％）で表してもよい。スクリーン体４０の透過率は、１％以上が好ましく、５％以上がより好ましい。透過率がかかる値を有することで、観察者側から見てスクリーン２０の向こう側に見える光景の視認性がよくなる。
【００５８】
［５．反射型のスクリーンと映像表示システム］
【００５９】
図７には映像表示システム４５が示されている。図７に示すように、上述したスクリーン２０はその表裏を入れ替えることで反射型の透明スクリーンとして利用してもよい。
【００６０】
図７に示す映像表示システム４５はスクリーン２０を備える。スクリーン２０は映像光２５を正面側から受ける。スクリーン２０は映像光２５を正面側に返す。第一面２１は正面側に向いている。第二面２２は背面側に向いている。
【００６１】
図７に示すスクリーン２０は拡散反射をするものでもよい。拡散反射は等方性でもよい。拡散反射をしないスクリーンとしては例えば再帰反射性のスクリーンや鏡面反射性のスクリーンでもよい。再帰反射性のスクリーンや鏡面反射性のスクリーンは等方性でもよい。
【００６２】
図７に示す映像光２５は正面側上方向から入射する。映像光２５は第１散乱層２４で反射する。この時、映像光２５は散乱することで散乱光４８を生じる。これにより映像光２５はスクリーン２０上に投影される。
【００６３】
図７に示す映像光２５の一部が前記第１散乱層で散乱することなく透過光４９ａとして第１散乱層２４の背面側から下向きに出射する。透過光４９ａは上方向から前記第２散乱層の正面側に入射する。透過光４９ａは第２散乱層２７を透過する。透過光４９ａは第２散乱層２７で散乱する。透過光４９ａは第２散乱層２７の背面側より散乱光４９ｂとして下方向に出射する。
【００６４】
図７に示すように横方向に進行する背景光４１は実質的に散乱することなく第２散乱層２７を透過する。第２散乱層２７を透過した背景光４１は実質的に散乱することなく第１散乱層２４を透過する。
【００６５】
図７に示す映像表示システム４５は、スクリーン２０上に投影されなかった映像光２５の一部が、スクリーン２０を挟んで映像光２５の来る方向の反対側にある地面２６に投影されてしまうことを抑制できる。
【００６６】
図３又は図７に示すスクリーン２０が反射型の透明スクリーンとして利用できないものであれば、スクリーン２０は上述の通り透過型の透明スクリーンとして用いてもよい。同様にスクリーン２０が透過型の透明スクリーンとして利用できないものであれば、スクリーン２０は上述の通り反射型の透明スクリーンとして用いてもよい。
【００６７】
［６．吸収の異方性を有する透明スクリーン］
【００６８】
図８には透明スクリーンであるスクリーン５０が示されている。スクリーン５０はスクリーン５０から出射する光について所定の異方性を有する。
【００６９】
図８には一例としてスクリーン５０が水平な地面２６に対して垂直に設置されている。また異方性が上下方向に発揮されるようにスクリーン５０が設置されている。スクリーン５０は垂直以外の方向にも設置してもよい。さらに、スクリーン５０は上下方向以外の方向に異方性が発揮されるよう設置してもよい。
【００７０】
図８に示すスクリーン５０は第一面５１と、第一面５１の裏面にあたる第二面５２を有する。スクリーン５０は散乱層５４と吸収層として働くルーバー５７とを有する。
【００７１】
図８に示す散乱層５４はスクリーン５０の中央に位置する層である。散乱層５４は第一面５１の側の最外層もよい。散乱層５４はスクリーン５０に映像光を投影するために機能する。散乱層５４における光の散乱は等方性であることが好ましい。散乱層５４は上述した第１散乱層２４で置き換えてもよい。
【００７２】
図８に示すルーバー５７はスクリーン５０に所定の異方性を与える。一例においてルーバー５７は第二面５２上に形成されたルーバーである。ルーバー５７は第二面５２上に上から下に向かって順に配置されている。一例においてルーバー５７は黒色である。
【００７３】
図８に示す映像光２５は散乱層５４で散乱する。このため映像光２５をスクリーン５０に投影できる。散乱により生じた下向きの散乱光５８ａは上方向からルーバー５７に入射する。上向きの散乱光５８ｃは下方向からルーバー５７に入射する。散乱光５８ａ及び散乱光５８ｃのエネルギーはルーバー５７に吸収されて消滅する。
【００７４】
図８に示すように散乱により生じた横向きの散乱光５８ｂの向きがルーバー５７の向きと揃っている。散乱光５８ｂはルーバー５７に実質的に吸収されない。ルーバー５７では散乱光５８ａの吸収が散乱光５８ｂの吸収よりも強い。
【００７５】
図８に示す映像光２５の一部は散乱層５４で散乱することなく透過光５９としてルーバー５７に到達する。ルーバー５７は透過光５９を吸収する。
【００７６】
図８に示すルーバー５７は横向きの背景光３１を透過する。ルーバー５７は下向き又は上向きにスクリーン５０に入射する背景光を吸収する。ルーバー５７は異方性ののぞき見防止フィルターとしても機能する。
【００７７】
図８に示すとおり、一例においてスクリーン体６０は散乱層５４を有する。一例においてフィルム５６はルーバー５７からなる吸収層を有する。スクリーン体６０にフィルム５６を貼り合わせてスクリーン５０を形成してもよい。スクリーン体６０は上述したスクリーン体４０に置き換えてもよい。
【００７８】
図８に示すスクリーン５０上に投影されなかった映像光２５の一部が、スクリーン５０を挟んで映像光２５の来る方向の反対側にある地面２６に投影されてしまうことを抑制できる。
【００７９】
図８中のスクリーン５０は透過型スクリーンである。スクリーン５０は反射型スクリーンでもよい。図中では映像光２５の出射する面を第一面５１としている。反射型スクリーンでは映像光２５の出射する面を第二面５２とする。
【００８０】
図８に示すスクリーン５０が反射型の透明スクリーンとして利用できないものであれば、スクリーン５０は上述の通り透過型の透明スクリーンとして用いてもよい。同様にスクリーン２０が透過型の透明スクリーンとして利用できないものであれば、スクリーン２０は上述の通り反射型の透明スクリーンとして用いてもよい。
【００８１】
［７．実施形態の変更］
【００８２】
なお、本発明は上記各実施の形態に限られたものではなく、趣旨を逸脱しない範囲で適宜変更することが可能である。上記実施形態では下向きの光を強く散乱させた又は吸収させている。他の実施形態では上向きの光を強く散乱させてもよい、又は吸収させてもよい。これにより下方向から透明スクリーンに映像光を投影した時、上方向に透過する映像光が天井に投影されることを抑制できる。
【００８３】
各図に示された透明スクリーンは正面と背面とを裏返して用いてもよい。言い換えれば＋Ｘ方向に正面を向いていた透明スクリーンを、−Ｘ方向に正面を向けるように設置し直してもよい。この場合、透過型スクリーンにはその正面に対して映像光が投射される。その背面から出射した光が観察者に届く。反射型スクリーンにはその背面に対して映像光が投射される。その背面から出射した光が観察者に届く。
【００８４】
図６に示すようにスクリーン２０を正面視した時、スクリーン２０は長方形である。上記実施形態において透明スクリーンの形状は長方形に限定されない。長方形には正方形が含まれる。また透明スクリーン上において、透明スクリーンの異方性が発揮される方向は透明スクリーンの外形に依存しない。例えば透明スクリーンが長方形であったとしても、異方性が発揮される方向は縦でも横でもよく斜めでも良い。
【００８５】
各図に示す映像表示システムは建築物、車両、船舶及び航空機のいずれかの構造物に設けられていてもよい。建築物は他の建築物上に設置されたものでもよい。車両は鉄道車両でもよく自動車でもよい。自動車はバスでもよい。透明スクリーンは構造物の開口部に設けられてもよい。透明スクリーンは構造物の内と外とを隔てる窓として利用してもよい。
【００８６】
映像表示システムはデジタルサイネージとして利用してもよい。デジタルサイネージは上記構造物の中に設置されていてもよく、屋外に設置されていてもよい。デジタルサイネージには上記構造物と一体となった映像表示システムが含まれる。構造物に設けられた窓に映像光投影することで構築物の外に向かって映像を表示してもよい。
【００８７】
透明スクリーンは屋外光を受ける箇所に設けられていてもよい。屋外光には直射日光と、大気中や環境において散乱した日光が含まれる。映像表示システムは、映像を構造物の外に向かって表示してもよい。屋外光が上方向から降り注ぐ場合、投影機は各図に示すように上方向から透明スクリーンに向かって映像光を投射することが好ましい。夜間など屋外光が無い場合、投影機は上述のように下方向から透明スクリーンに向かって映像光を投射してもよい。
【実施例】
【００８８】
［８．透明スクリーンの設計］
【００８９】
図６に示すように透過型の映像表示システム３５を作製するために透明スクリーンを設計する。第２散乱層２７として、視界制御フィルムとして供給されているリンテック社製のY-2555を利用する。スクリーン体４０の正面側に第２散乱層２７として当該フィルムを貼り付ける。スクリーン体４０より下方向に出射する映像光２８ａを選択的に散乱させるように、フィルムを貼り付ける向きを選択する。
【００９０】
図９には視界制御フィルムからなる第２散乱層２７の断面が示されている。視界制御フィルムでは屈折率の異なる２種類の層が交互に積層されたルーバー構造が設けられている。ルーバー構造ではこれらの層に傾斜が設けられている。積層方向はフィルムの厚み方向に対して交差する方向である。フィルムの長手方向（Ｙ軸方向）を傾斜の基準とすると、傾斜角は、６４〜６８度である。傾斜がフィルムの厚み方向の途中で変化してもよい。
【００９１】
図９の実線で示したスクリーン体４０に視界制御フィルム（第２散乱層２７）を貼り付ける。ルーバーの傾斜角が厚み方向の途中で変化する場合は、ルーバーの傾斜角の大きい側をスクリーン体４０に向けてもよく、ルーバーの傾斜角の小さい側をスクリーン体４０に向けてもよい。
【００９２】
完成した透明スクリーンにおいて、視界制御フィルム（第２散乱層２７）の＋Ｘ方向は透明スクリーンの正面側となる。また視界制御フィルム（第２散乱層２７）の＋Ｙ方向は透明スクリーンの上側となる。また視界制御フィルム（第２散乱層２７）の−Ｙ方向は透明スクリーンの下側となる。映像光は図９中の−Ｘ方向よりルーバー構造に入射する。図９中の一点鎖線で示したスクリーン体４０に視界制御フィルム（第２散乱層２７）を貼り付けてもよい。すなわち前後逆にしてスクリーン体４０に視界制御フィルム（第２散乱層２７）を貼り付けてもよい。
【００９３】
［９．透明スクリーンへの投影］
【００９４】
図１０に示すようにスクリーン２０と投影機３４との位置関係を定める。スクリーン２０と投影機３４との間の距離ｄ１は１１０ｍｍである。投影機３４の有するレンズ３６の中心と地面２６との間の距離ｈ１は２５０ｍｍである。スクリーン２０の高さｈ２は２００ｍｍである。スクリーン２０の高さｈ２は２００ｍｍである。映像光２５がスクリーン２０上に投影されたとき、投影される範囲の高さｈ３は１３０ｍｍである。投影される範囲はスクリーン２０の中心を基準として上下６５ｍｍの範囲である。投影される範囲の下端と地面２６との間の距離ｈ４は３５ｍｍである。
【００９５】
図１０に示す各装置の位置関係において、映像光２５の拡散角Ｓｐは約２５度である。拡散角Ｓｐは投影機３４として選択される投影機によって異なるため上記の位置関係は適宜変更してもよい。投影機の拡散角Ｓｐは例えば２５度以上４４度以下の範囲から選択してもよい。キーストーン補正によって投影像の歪みを取り除いてもよい。
【００９６】
図１１の下段には平面視したスクリーン２０と投影機３４とが示されている。図１１〜１３において図１１の下段に示すようにスクリーン２０の背面側に対して＋Ｙ方向より映像光２５を投射する。スクリーン２０を平面視した時、映像光２５の光軸とスクリーン２０とのなす角度Ａｘは９０度である。
【００９７】
図１４〜１６においても同様に映像光をスクリーンに投射している。ただしスクリーン２０を、視界制御フィルムを有しない透明スクリーンに置き換えている。
【００９８】
図１１の写真中のスクリーンに投影された映像はアルファベットの文字である。各図の写真中にはスクリーンの背面側に投影された文字が見えている。スクリーンの正面側からスクリーンを観察したところ、裏返しになった文字が投影されていることが視認できた。図１２〜１６においても同様である。
【００９９】
図１１及び１４では投影された文字のサイズが４０ｍｍである。テーブル面までの距離と文字サイズの比は０．５である。かかる比はスクリーンの下部において１．０である。ここでテーブル面までの距離とは、投影機３４によってスクリーンに投影された文字と、投影機３４の出射口とを結んだ直線の延長線とテーブル面の交差する点の距離のことをいう。
【０１００】
図１２及び１５では投影された文字のサイズが２０ｍｍである。地面までの距離と文字サイズの比は０．２５である。図１３及び１６では投影された文字のサイズが１０ｍｍである。テーブル面までの距離と文字サイズの比は０．１である。
【０１０１】
図１１〜１３において映像光はスクリーンを透過してテーブル面に達している。しかしながらテーブル面上に文字の輪郭は視認できない。テーブル上の影は、文字がどこに映っているのかすら分からない程度にぼやけている。
【０１０２】
図１４〜１６において映像光はスクリーンを透過してテーブル面に達している。さらにテーブル面上に映った影からは文字の輪郭が視認できる。図１４〜１６と図１１〜１３との比較より、下向きの映像光は視界制御フィルムによって散乱されるものと結論される。
【０１０３】
図１７の下段には平面視したスクリーン２０と投影機３４とが示されている。図１７及び１８では図１７の下段に示すようにスクリーン２０の背面側に対して＋Ｙ方向かつ＋Ｚ方向より映像光２５を投射する。スクリーン２０を平面視した時、映像光２５の光軸とスクリーン２０とのなす角度Ａｘは４０度から４５度の間の値である。
【０１０４】
図１７において映像光はスクリーン２０を透過してテーブル面に達している。テーブル面のスクリーンに近い部分に映った影からは文字の輪郭が視認できる。しかしながらテーブル面上の他の部分では文字の輪郭は視認できない。
【０１０５】
図１８において映像光はスクリーンを透過してテーブル面に達している。さらにテーブル面上に映った影のどこにおいても文字の輪郭が視認できる。図１７と図１８との比較より、下向きの映像光は視界制御フィルムによって散乱されるものと結論される。また図１１と図１７との比較より、かかる効果は映像光が左右の斜め方向から投射される場合でも得られると判断される。
【０１０６】
図１１と図１７との比較より、角度Ａｘが４０度以上である場合、テーブル面までの距離と文字サイズの比を２．０以上とすることで、視界制御フィルムによる散乱の効果は十分に得られるものと判断される。また角度Ａｘが４０度以下である場合、テーブル面までの距離と文字サイズの比を２．０以下の任意の値とした場合でも、視界制御フィルムによる散乱の効果は十分に得られるものと判断される。
【０１０７】
［１０．設置の向き］
【０１０８】
図１０に示す透明スクリーン２０は、第２散乱層において上方向から入射する光の散乱が、横方向から入射する光の散乱よりも強くなるように設置される（図２及び３参照）。図１１及び図１７に示すように投影機３４は、背面の側の上方向であって左右４０度以内の方向から背面の側に映像光２５を投射する。
【０１０９】
図１０に透明スクリーン２０は、第２散乱層に対して下方向から入射する光の散乱が、横方向から入射する光の散乱よりも強くなるよう、図に示すものに対して天地逆に設置されていてもよい。この場合、投影機は、背面の側の下方向であって左右４０度以内の方向から背面の側に映像光を投射する。
【符号の説明】
【０１１０】
２０  スクリーン、  ２１  第一面、  ２２  第二面、  ２４  散乱層、  ２５  映像光、  ２６  地面、  ２７  散乱層、  ２８ａ−ｃ  映像光、  ３０  観察者、  ３１  背景光、  ３２  背景光、  ３４  投影機、  ３５  表示システム、  ３６  レンズ、  ３７ａ−ｂ  透明板、  ４０  スクリーン体、  ４１  背景光、  ４５  表示システム、  ４８  散乱光、  ４９ａ  透過光、  ４９ｂ  散乱光、  ５０  スクリーン、  ５１  第一面、  ５２  第二面、  ５４  散乱層、  ５６  フィルム、  ５７  ルーバー、  ５８ａ−ｃ  散乱光、  ５９  透過光、  ６０  スクリーン体、  ９０  スクリーン、  Ａｘ  角度、  ｄ１  距離、  Ｆｉ１  視野、  Ｆｉ２  視野、  ｈ１  距離、  ｈ２  高さ、  ｈ３  高さ、  ｈ４  距離、  Ｌｇ  光、  Ｏｂ  遮蔽区間、  Ｓｃ１  散乱光、  Ｓｃ２  散乱光、  Ｓｃ３  散乱光、  Ｓｐ  拡散角、  Ｔｒ１  透過区間、  Ｔｒ２  透過区間
【図１】
2019074730.tif 000003
【図２】
2019074730.tif 000004
【図３】
2019074730.tif 000005
【図４】
2019074730.tif 000006
【図５】
2019074730.tif 000007
【図６】
2019074730.tif 000008
【図７】
2019074730.tif 000009
【図８】
2019074730.tif 000010
【図９】
2019074730.tif 000011
【図１０】
2019074730.tif 000012
【図１１】
2019074730.tif 000013
【図１２】
2019074730.tif 000014
【図１３】
2019074730.tif 000015
【図１４】
2019074730.tif 000016
【図１５】
2019074730.tif 000017
【図１６】
2019074730.tif 000018
【図１７】
2019074730.tif 000019
【図１８】
2019074730.tif 000020